(57)【要約】      （修正有）【課題】蓋の施錠時において、蓋の施錠状態を強固なものとするとともに、蓋の開放時に合鍵で施錠状態とされ該合鍵が抜かれた場合に、自動的にロックされて閉蓋される飲料又は食品用容器の蓋の施錠装置を提供する。【解決手段】容器本体と、蓋と、容器本体側に設けた係止受部に係脱自在に係止される係止部３３を有するフック部３１を垂設し、かつ蓋側に設けたロックレバー３０とを備え、前記ロックレバー３０の一端側には下面を円滑な当接面３５ａとした錠杆受体３５を設ける一方、前記蓋側には、蓋の内部空間に臨ませて上面を円滑な当接面４２ａとした錠杆４２と、合鍵の回動操作により前記錠杆４２を施錠位置または解錠位置に回動するためのシリンダー４１とからなる錠４０を設け、該錠杆４２の当接面４２ａとロックレバー３０の錠杆受体３５の当接面３５ａとで形成される隙間Ｓが最小になる位置に配置したことを特徴とする。【選択図】図９
2009219802.tif 000002
【特許請求の範囲】
【請求項１】
容器本体と、容器本体の上部開口を開閉する蓋と、容器本体側に設けた係止受部に係脱自在に係止される係止部を有するフック部を垂設し、かつ蓋側に設けたロックレバーとを備え、前記係止受部にロックレバーの係止部を係止することにより前記蓋を容器本体にロックし閉蓋するようにしてなる飲料又は食品用容器の蓋の施錠装置において、
前記ロックレバーの一端側には下面を円滑な当接面とした錠杆受体を設ける一方、
前記蓋側または容器本体側には、蓋または容器本体の内部空間に臨ませて上面を円滑な当接面とした錠杆と、合鍵の回動操作により前記錠杆を施錠位置または解錠位置に回動するためのシリンダーとからなる錠を設け、
前記ロックレバーの錠杆受体の回転中心と錠の回転中心とは平行に設け、
ロックレバーの錠杆受体に当接して解錠方向への動きを阻止する前記錠の錠杆は、施錠時には、該錠杆の当接面とロックレバーの錠杆受体の当接面とで形成される隙間が最小になる位置に配置したことを特徴とする飲料又は食品用容器の蓋の施錠装置。
【請求項２】
前記蓋の開放時に、合鍵により錠杆を施錠位置まで回動し施錠状態として前記合鍵を抜いても、当該蓋を閉めることにより、ロックレバーのフック部に形成した係止部が、容器本体側に設けた前記係止受部に係止される手段を設けている請求項１に記載の飲料又は食品用容器の蓋の施錠装置。
【請求項３】
前記錠は、容器本体の後端部に回動自在に枢支した蓋の枢支部とは反対側の自由端側の蓋に設けられている請求項１または２に記載の飲料又は食品用容器の蓋の施錠装置。
【発明の詳細な説明】
【技術分野】
【０００１】
本発明は、エアーポットや電気ポットやジャー等の飲料又は食品用容器の蓋の施錠装置に関する。
【背景技術】
【０００２】
従来より、この種の蓋つきの飲料又は食品用の容器において、いたずら等によって、容器本体内に異物や毒物が混入されないようにするため、蓋に錠を取り付けた飲料又は食品の保存容器が提案されている（例えば特許文献１参照。）。
【０００３】
上記特許文献１（特許第３０２６９５５号公報）の飲料又は食品の保存容器は、容器本体に開閉自在に取付けた蓋に、容器本体の一部に係脱自在に係合するフックを設け、前記フックの操作レバーに指を掛けるための指挿入凹所を上記蓋に設け、前記指挿入凹所に錠を取り付けるとともに、指挿入凹所をスライド自在のシャッターによりカバーし、鍵の操作により回転される上記錠の錠ロック片を前記操作レバーに係合させることにより、上記蓋を錠止めするようにしたものである。
【０００４】
【特許文献１】特許第３０２６９５５号公報（第１頁、第３頁、図１〜図４）
【発明の開示】
【発明が解決しようとする課題】
【０００５】
しかしながら、上記特許文献１の飲料又は食品の保存容器は、施錠する場合には、閉蓋状態で、シリンダー錠に鍵を挿入して施錠すると、錠ロック片が９０度回動してシャッターの後端面に係合するため、シャッターを後退できず指挿入凹所を開放することができない。従って操作レバーを操作することができず、蓋の施錠状態が保持される。すなわち、シリンダー錠の錠ロック片をシャッターに係合させることにより、シャッター及び操作レバーを介してフックに錠ロック片を間接的に係合させて蓋の施錠状態を保持するものである。
【０００６】
このように、上記従来例のものでは、シャッターや操作レバー等が必要であるばかりか、錠ロック片は上記シャッター等の部材を介してフックに間接的に係合させるものであるため、構造が複雑となるなどの問題点があった。
【０００７】
また、上記従来例のものでは、錠としてシリンダー錠を使用した場合、合鍵により施解錠方向に回動するため、錠ロック片とシャッターや操作レバーとの間に多少の遊びが生じ、その遊びに起因して、操作レバーがガタつくなど施錠状態の安全性に対して不安感があった。
【０００８】
さらに、上記従来例のものでは、蓋の施解錠時には必ず合鍵を必要とするものであるため、例えば蓋の開放時において、施錠状態であるときは閉蓋と同時にロック状態にすることはできなかった。
【０００９】
本発明は、上記従来の問題点を解決し、簡単な構造で、施錠時において蓋側のロックレバーの上下方向の遊び(ガタ)を少なくして、蓋の施錠状態を強固なものとするとともに、蓋の開放時に合鍵で施錠状態とされ該合鍵が抜かれた場合に、蓋を閉めることにより前記ロックレバーの係止部と容器本体側の係止受部とが自動的にロックされて閉蓋される飲料又は食品用容器の蓋の施錠装置を提供することを目的とする。
【課題を解決するための手段】
【００１０】
上記目的を達成するため、本発明の請求項１記載の飲料又は食品用容器の蓋の施錠装置は、容器本体と、容器本体の上部開口を開閉する蓋と、容器本体側に設けた係止受部に係脱自在に係止される係止部を有するフック部を垂設し、かつ蓋側に設けたロックレバーとを備え、前記係止受部にロックレバーの係止部を係止することにより前記蓋を容器本体にロックし閉蓋するようにしてなる飲料又は食品用容器の蓋の施錠装置において、
前記ロックレバーの一端側には下面を円滑な当接面とした錠杆受体を設ける一方、
前記蓋側または容器本体側には、蓋または容器本体の内部空間に臨ませて上面を円滑な当接面とした錠杆と、合鍵の回動操作により前記錠杆を施錠位置または解錠位置に回動するためのシリンダーとからなる錠を設け、
前記ロックレバーの錠杆受体の回転中心と錠の回転中心とは平行に設け、
ロックレバーの錠杆受体に当接して解錠方向への動きを阻止する前記錠の錠杆は、施錠時には、該錠杆の当接面とロックレバーの錠杆受体の当接面とで形成される隙間が最小になる位置に配置したことを特徴とする。
【００１１】
上記の如き簡単な構成により、閉蓋時に合鍵により錠の錠杆を施錠位置に回動することで、前記錠杆とロックレバーの錠杆受体とを係止させてロックし、蓋の上方からロックレバーを外部操作できないため、蓋を開放することができないため容器本体内に異物や毒物が混入されるのを防止できる。
一方、合鍵を解錠方向に回動操作して解錠状態としたときは、蓋上部のロックレバーの操作ができるので、このとき前記ロックレバーを操作して蓋の開閉操作ができる。
【００１２】
前記錠のシリンダーは、合鍵を抜き差しできる鍵穴を有するものであって、その取材位置は、蓋の側面側や天面側、又は容器本体の下口部などの側面などでもよく、適宜設計変更できる。
【００１３】
本発明の請求項２記載の飲料又は食品用容器の蓋の施錠装置は、前記蓋の開放時に、合鍵により錠杆を施錠位置まで回動し施錠状態として前記合鍵を抜いても、当該蓋を閉めることにより、ロックレバーのフック部に形成した係止部が、容器本体側に設けた前記係止受部に係止される手段を設けている。
ここで、ロックレバーのフック部の係止部が、容器本体側の係止受部に係止される手段として、図１０〜図１３で示す実施形態の第２例では、ロックレバーに一体に垂設したロックレバー垂下体に、係止部を有するフック部を独立して付設するとともに、前記ロックレバー垂下体には、前記フック部の係止部を、常時は容器本体側に設けた係止受部に係合するように付勢したバネを設けている。
【００１４】
そのため、前記蓋の開放時に、不用意に、合鍵により錠杆を施錠位置まで回動し施錠状態として前記合鍵を抜いても、当該蓋を閉めることにより、前記ロックレバーのバネの作用でフック部の係止部が係止受部より係止解除する方向に瞬間的に逃げて、フック部に形成した係止部が、容器本体側に設けた前記係止受部に係止される。
【００１５】
本発明の請求項３記載の飲料又は食品用容器の蓋の施錠装置は、前記錠は、容器本体の後端部に回動自在に枢支した蓋の枢支部とは反対側の自由端側の蓋に設けられている。
この錠の取付位置は、前述したように、蓋や容器本体等の適所に設けられるが、錠を容器本体の肩部材を形成する下口に設けた場合には、該下口に錠取付用の穴を形成する必要があるとともに、該穴より内溶液が洩れないようにシール対策を必要とする。これに対し、本発明の上記構成では、錠が蓋に設けられているため、前記の如き下口に錠取付用の穴を形成することやシール性を考える必要がない。
【発明の効果】
【００１６】
本発明の請求項１の飲料又は食品用容器の蓋の施錠装置によれば、閉蓋時には合鍵により錠の錠杆を施錠位置に回動することで、前記錠杆とロックレバーの錠杆受体とを係止させてロックし、蓋の上方からロックレバーを外部操作できないため、蓋が開放されないため、容器本体内に異物や毒物等が混入されるのを防止できる。
しかも、前記錠の錠杆は、施錠時には、該錠杆の当接面とロックレバーの錠杆受体の当接面とで形成される隙間が最小になる位置に配置しているから、施錠時において蓋側のロックレバーの上下方向のガタつきが小さくなり、蓋の施錠状態が強固なものとなる。
【００１７】
本発明の請求項２の飲料又は食品用容器の蓋の施錠装置によれば、前記蓋の開放時に、合鍵により錠杆を施錠位置まで回動し施錠状態として前記合鍵を抜いても、当該蓋を閉めることにより、ロックレバーのフック部に形成した係止部が、容器本体側に設けた前記係止受部に係止される手段を設けているから、開蓋状態から蓋を閉めるだけで、ロックレバーの係止部と容器本体側の係止受部とが自動的にロックされて施錠・閉蓋状態とすることができる。
【００１８】
本発明の請求項３の飲料又は食品用容器の蓋の施錠装置によれば、前記錠は、容器本体の後端部に回動自在に枢支した蓋の枢支部とは反対側の自由端側の蓋に設けられているから、錠を下口に取り付けた場合に比べて、前述したように下口に錠取付用の穴を形成することやシール性を考慮する必要がない利点がある。
【発明を実施するための最良の形態】
【００１９】
本発明の実施の形態の第１例を図１〜図９に基づいて以下に説明する。
この実施の形態の飲料又は食品用容器の蓋の施錠装置は、空気圧送式の液体容器に適用されたものが示されている。この空気圧送式の液体容器は、ステンレス鋼板製の内容器１Ａと外容器１Ｂとで真空断熱空間１Ｃを形成してなる容器本体１と、容器本体１の後端部にヒンジ２で弧回動自在に枢支され、かつ容器本体１の上部開口１Ｄを開閉する蓋１０と、蓋１０内に収容されて内容器１Ａ内に加圧空気を送り込むためのベローズ式のエアーポンプ１１と、エアーポンプ１１の作動により内容器１Ａの内容液を器体の外部へ注出するようにした一連の液通路２０と、器体を持ち運ぶための把手３とを備えている。
【００２０】
容器本体１は、外容器１Ｂの胴部１ａの上端部に載設して接続した下口部（肩部）４と、該胴部１ａの下端部に接続した底体５とを備えている。前記下口部４は、容器本体１の上部にネジ６で固定してあるとともに、該下口部４の中央部には給液口となる開口４ａが形成されている。
【００２１】
蓋１０は、容器本体１の後端部の上部に形成したヒンジ受部２ａに、該蓋１０の後端部の下部に形成したヒンジ部２ｂをヒンジピン２ｃで回動自在に枢着してある。この蓋１０の内部空間１０aにベローズ式のエアーポンプ１１が収容されている。また、この蓋１０には、前記枢支部とは反対側の自由端側(前部)に蓋側くちばし部１３を形成してあり、この蓋側くちばし部１３は、上面と正面と左右両側面とを一体に連続形成したくちばし部本体１３ａと、底板部１３ｂとで形成されている。そして、前記くちばし部本体１３ａと底板部１３ｂとで囲まれた内部は内部空間１４としてある。また、くちばし部本体１３ａの上面前部には前記内部空間１４と連通した切欠き１５を形成してある。前記底板部１３ｂの略中央部には前後方向(図１で言えば左右方向)に長方形状の長穴１６、１６(図４参照)を間隔をおいて一対形成しているとともに、前記一対の長穴１６、１６の後端近傍には起立壁１７を立設している。
【００２２】
前記起立壁１７の上端部には、舌状のロックレバー３０が弧回動自在に枢軸３２で枢着されている。
すなわち、前記ロックレバー３０は、該ロックレバー３０の下面に一対のフック部３１、３１を一体に垂設しており、この一対のフック部３１，３１間に前記起立壁１７が嵌合されるようにして、フック部３１、３１が起立壁１７に対して弧回動自在に枢軸３２で枢着されている。そして、前記フック部３１、３１は、その下端部には鉤状の係止部３３が形成されているとともに、この係止部３３より少し上部は、底板部１３ｂに形成した長穴１６内に挿入されて、前後方向に移動可能としてある。つまり、前記枢軸３２にはコイルバネや板バネ等のバネ３４を巻装しており、このバネ３４により前記フック部３１は常時は枢軸３２を支点として反時計方向(図１で右方向)に付勢されている。
【００２３】
一方、蓋１０の枢支部とは反対側の自由端側の容器本体１(つまりこの実施形態では下口部４)には、蓋側くちばし部１３に対向する下口部くちばし部４ｂが形成されている。この下口部くちばし部４ｂの上面の一部には、閉蓋時において、ロックレバー３０のフック部３１の係止部３３が係合される係合孔７ａを有する係止受部７が立設されている。
【００２４】
従って、開蓋状態の蓋を閉めると、ロックレバー３０のフック部３１に形成した係止部３３が、下口部４に形成した係止受部７の係合孔７ａに係止されて、蓋１０が容器本体１にロックされ閉蓋される。この閉蓋状態時には、ロックレバー３０は、図１に示すように蓋１０の蓋側くちばし部１３の上面と略同一面としてあるとともに、該ロックレバー３０の他端(前端)は、閉蓋状態時には、切欠き１５の前部に形成した段部１８に係止し、ロックレバー３０が開放されないようにしている。
【００２５】
前記液通路２０は、内部に液通路２２を有する栓体２１と、栓体２１の下部に縦向きに取付けた揚水管２３と、栓体２１の上部に横向きに取り付けた注出管２４と、注出管２４の先端に取付けた吐出管２５とで構成されている。
この液通路２０を構成する栓体２１、揚水管２３，注出管２４及び吐出管２５をセットした状態で、栓体２１は下口部４の開口４ａ及び容器本体１の上部開口１Ｄに出し入れ自在に嵌挿される。
【００２６】
容器本体１の上部開口１Ｄ及び下口部４の開口４ａを蓋１０で閉鎖した閉蓋状態において、押し板１２を押圧すると、エアーポンプ１１よりの加圧空気が栓体２１内の空気通路２６を通って内容器１Ａ内に吹き込まれる。この吹き込まれた加圧空気によって、内容器１Ａ内の内容液は揚水管２３，液通路２２，注出管２４を経て吐出管２５より外部へ注出されるようにしてある。
【００２７】
以上の構成において、前記ロックレバー３０の一端側には下面を円滑な当接面３５ａとした錠杆受体３５を設ける一方、前記蓋１０の側壁には、蓋１０の内部空間１４に臨ませて上面を円滑な当接面４２ａとした錠杆４２と、合鍵(図示せず)をシリンダー４１の鍵穴４３に差し込んで回動操作により前記錠杆４２を施錠位置または解錠位置に回動するためのシリンダー４１とからなる錠４０を設けてある。
また、前記ロックレバー３０の錠杆受体３５の回転中心ＬＯと錠４０(シリンダー４１)の回転中心ＣＯとは平行に設け、ロックレバー３０の錠杆受体３５に当接して解錠方向への動きを阻止する前記錠４０の錠杆４２は、施錠時には、該錠杆４２の当接面４２ａとロックレバー３０の錠杆受体３５の当接面３５ａとで形成される隙間Ｓが最小になる位置に配置してある。
【００２８】
錠４０として、本実施形態では、公知のシリンダー錠を採用しているが、その構造については特に限定しない。例えば、図３、図５〜図９で一部が示されているように、鍵穴４３と下ピンを嵌装した下ピン孔とを有する内筒４４と、上ピンおよび上ピンばねを嵌挿した上ピン孔を有する外筒４５と、内筒４４の先端に直接又は間接に設けた錠杆４２とを有するものでもよく、その他の構成でもよい。
【００２９】
上記錠４０を前記図３、図５〜図９に基づいて以下に詳しく説明する。
すなわち、蓋側くちばし部１３の側壁１３ｃの一部に錠取付穴１３ｄを穿設し、この錠取付穴１３ｄに前記内筒４４を嵌装した外筒４５を嵌挿して蓋側くちばし部１３の内部空間１４まで臨ませ、該外筒４５の先端をパッキン４７を介してナット等の締付具４６で側壁１３ｃに固定している。前記錠杆４２は、内筒４４の先端に設けた略円板状の基板４２ｂの一部外周に、奥側に位置するように一体に折り曲げた板状のものである。
なお、図３で、４８はパッキン、４９、５０は締付具４６の先端に形成したストッパーであって、錠杆４２の基板４２ｂに突設した突部５１、５２を係止する。つまり、錠杆４２を回動して、施錠時には突部５１をストッパー４９に係止し、解錠時には突部５２をストッパー５０に係止し、それぞれの回り止めとしている。
【００３０】
前記錠４０の錠杆４２は、施錠時には、該錠杆４２の当接面４２ａとロックレバー３０の錠杆受体３５の当接面３５ａとで形成される隙間Ｓが最小になる位置に配置してあるが、ここで言う「隙間Ｓが最小になる位置」について、本願発明者は、図７〜図９に示す如き比較実験を行った。
【００３１】
図７は、(Ａ)の施錠状態に示すように、錠杆受体３５の回転中心ＬＯと錠４０(シリンダー４１)の回転中心ＣＯは平行で、かつ前者が後者より右側位置にある(換言すれば、錠杆受体３５の当接面３５ａが錠４０の回転中心ＣＯより右側位置にある)場合は、(Ｂ)の解錠状態における錠杆４２の当接面４２ａが錠杆受体３５の当接面３５ａに接触しない隙間Ｓを０．５mmとする。そして、合鍵でシリンダー４１(内筒４４)を時計方向に回動して(Ａ)の如く施錠状態とすると、錠杆受体３５の当接面３５ａと錠杆４２の当接面４２ａとの隙間Ｓは２mmとなった。この隙間Ｓが２mmになると、指や針金などの不正部材を使用して蓋を不正に開かれる虞れがあると共に、ロックレバー３０がガタ付くなどの問題があった。
【００３２】
なお、図７(Ｃ)は、錠４０(シリンダー４１)の回転中心ＣＯより左側位置に錠杆４２を配置した場合を示し、この場合でも前記隙間Ｓは２．７１mmとなって、上記の場合と同様の問題があった。
【００３３】
図８は、(Ａ)の施錠状態に示すように、錠杆受体３５の回転中心ＬＯと錠４０(シリンダー４１)の回転中心ＣＯとが同一軸線上にある場合は、(Ｂ)の解錠状態時の錠杆４２の当接面４２ａと錠杆４２の当接面４２ａとの隙間Ｓを０．５mmのとき、上記(Ａ)の如く施錠状態とすると、錠杆受体３５の当接面３５ａと錠杆４２の当接面４２ａとの隙間Ｓは１．２２mmとなり、この図８の場合も図７の場合と同様の問題があった。
【００３４】
図９は、(Ａ)の施錠状態に示すように、錠杆受体３５の回転中心ＬＯと錠４０(シリンダー４１)の回転中心ＣＯは平行で、かつ前者が後者より左側位置にある(換言すれば、錠杆受体３５の当接面３５ａが錠４０の回転中心ＣＯより左側位置にある)場合は、(Ｂ)の解錠状態における錠杆４２の当接面４２ａが錠杆受体３５の当接面３５ａに接触しない隙間Ｓを０．５mmとする。そして、合鍵でシリンダー４１(内筒４４)を時計方向に回動して(Ａ)の如く施錠状態とすると、錠杆受体３５の当接面３５ａと錠杆４２の当接面４２ａとの隙間Ｓは０．５mmとなった。この施錠状態時の隙間Ｓは０．３〜０．５mmにすることもでき、このような隙間Ｓが最小になると、図７や図８のように指や針金などの不正部材を使用して蓋を不正に開かれる虞れが防止されると共に、ロックレバー３０がガタ付くなどの問題が解消された。
【００３５】
なお、図９(Ｃ)は、錠４０(シリンダー４１)の回転中心ＣＯより右側位置に錠杆４２をずらして配置した場合を示し、この場合でも前記隙間Ｓは０．５mmとなって、上記の場合と同様の効果があった。
【００３６】
第１実施形態の作用について以下に説明する。
閉蓋状態から蓋１０を閉めると、ロックレバー３０のフック部３１の係止部３３の下端部は傾斜面としてあるため、この傾斜面が、下口部くちばし部４ｂに形成された係止受部７(凹部)の上端縁の傾斜面をガイド面として、該係止部３３はバネ３４の付勢力に抗して係止部３３を一旦前部方向に移動されてから係止受部７に自動的に係止される(図１、図３，図５参照)。
【００３７】
上記閉蓋状態から蓋１０を開放する場合には、ロックレバー３０の後部を人間の指でバネ３４の付勢力に抗して前方方向に押圧すると、係止部３３が係止受部７より係止解除されるので、蓋１０を自由に開けることができる(図３、図６参照)。
【００３８】
閉蓋状態でロックレバー３０が係止状態の場合において、錠４０つまりシリンダー４１の鍵穴４３に合鍵である鍵を差し込み施錠方向に回動すると、錠４０の錠杆４２の当接面４２ａが、図３の実線４２、図５、図９の(Ａ)に示すように、ロックレバー３０の錠杆受体３５の当接面３５ａに当接ないし近接して、ロックレバー３０を解放方向へ手で押そうとしても、前記錠杆４２の当接面４２ａに、錠杆受体３５の当接面３５ａが当接するため、係止部３３を係止受部７より係止解除することができず、蓋１０は勝手に開けることができない。
【００３９】
上記錠４０による施錠状態から解錠して開蓋する場合には、錠４０(シリンダー４１)の鍵穴４３に鍵を差し込み解錠方向に回動すると、錠杆４２が、図３の鎖線、図９(Ｂ)で示すように、ロックレバー３０の係止部３３が係止受部７から離間し、図９(Ｂ)に示すようになって、ロックレバー３０の係止部３３と係止受部７の係止離脱が支障なく行える。そこで、閉蓋状態から蓋１０を開放する場合として、前述したようにロックレバー３０の後部を人間の手で押圧すると係止部３３が係止受部７より係止解除されて、蓋１０が自由に解放される。
【００４０】
本発明の実施の形態の第２例を図１０〜図１３に基づいて以下に説明する。
この第２実施形態のものは、蓋１０の開放時に、合鍵により錠杆４２を施錠位置まで回動し施錠状態として前記合鍵を抜いても、当該蓋１０を閉めることにより、ロックレバー３０のフック部３１に形成した係止部３３が、容器本体１側に設けた係止受部７に係止される手段を設けていることに特徴があり、その他の構成は第１実施形態のものと同様としているので、詳細は第１実施形態の説明を参照するとよい。
【００４１】
ロックレバー３０のフック部３１の係止部３３が、容器本体１側の係止受部７に係止する手段として、第１実施形態ではロックレバー３０の下面に一体に垂設したフック部３１に係止部３３を形成しているに対し、第２実施形態では、係止部３３を有するフック部３１は、ロックレバー３０に一体に垂設したロックレバー垂下体３６に独立して付設するとともに、前記ロックレバー垂下体３６には、前記フック部３１の係止部３３を、常時は容器本体１側に設けた係止受部７に係合するように付勢したバネ３４を設けている。
【００４２】
このような構成を採用しているので、図１３に示すように蓋１０が開放されている時に、合鍵により錠杆４２を施錠位置まで回動し施錠状態（図１１の実線４２参照）として前記合鍵を抜いても、当該蓋１０を閉めることにより、前記ロックレバー垂下体３６に設けたバネ３４の作用で、フック部３１の係止部３３が係止受部７より係止解除する方向に瞬間的に逃げて、フック部３１の係止部３３が容器本体１側に設けた前記係止受部７に係止される（図１２参照）。
【００４３】
この第２実施形態の場合も、錠４０は蓋側くちばし部１３の側壁に設けてある（図１１参照）。また、第２実施形態の作用は、上述の点を除けば、第１実施形態の作用と同様であるので、それを参照するとよい。
【００４４】
上記各実施形態では、いずれもエアーポットについて説明したが、電気ポット、器体を傾けて注液する通常の魔法瓶、ジャー等の容器についても適用することができる。
【図面の簡単な説明】
【００４５】
【図１】本発明の実施形態１の縦断側面図である。
【図２】本発明の実施形態１の正面図である。
【図３】本発明の実施形態１の一部切欠き平面図である。
【図４】本発明の実施形態１の底面図である。
【図５】本発明の実施形態１のロック状態を示す要部側面図である。
【図６】本発明の実施形態１のロック解除状態を示す要部側面図である。
【図７】ロックレバーと錠との関係を示す実験例１の説明図である。（Ａ）は施錠状態、（Ｂ）は解錠状態、（Ｃ）は錠の回転中心より左側位置に錠杆を配置した状態をそれぞれ示す。
【図８】ロックレバーと錠との関係を示す実験例２の説明図である。（Ａ）は施錠状態、（Ｂ）は解錠状態をそれぞれ示す。
【図９】ロックレバーと錠との関係を示す実験例３の説明図である。（Ａ）は施錠状態、（Ｂ）は解錠状態，（Ｃ）は錠の回転中心より右側位置に錠杆をずらして配置した場合を  それぞれ示す。
【図１０】本発明の実施形態２の縦断側面図である。
【図１１】本発明の実施形態２の一部切欠き平面図である。
【図１２】図１１のＡ−Ａ線縦断面図である。
【図１３】図１２の閉蓋状態から開蓋した状態を示す縦断面図である。
【符号の説明】
【００４６】
１      容器本体
４      下口部
４ｂ    下口部くちばし部
７      係止受部
１０    蓋
１１    エアーポンプ
１３    蓋側くちばし部
１４    内部空間
１６    長穴
２０    液通路
２１    栓体
２５    吐出管
３０    ロックレバー
３１    フック部
３２    枢軸
３３    係止部
３４    バネ
３５    錠杆受体
３５ａ  当接面
３６    ロックレバー垂下体
４０    錠
４１    シリンダー
４２    錠杆
４２ａ  当接面
４３    鍵穴
４４    内筒
４５    外筒
ＣＯ    錠（シリンダー）の回転中心
ＬＯ    錠杆受体の回転中心
Ｓ      隙間
【図１】
2009219802.tif 000003
【図２】
2009219802.tif 000004
【図３】
2009219802.tif 000005
【図４】
2009219802.tif 000006
【図５】
2009219802.tif 000007
【図６】
2009219802.tif 000008
【図７】
2009219802.tif 000009
【図８】
2009219802.tif 000010
【図９】
2009219802.tif 000011
【図１０】
2009219802.tif 000012
【図１１】
2009219802.tif 000013
【図１２】
2009219802.tif 000014
【図１３】
2009219802.tif 000015